(57)【要約】【課題】  従来の超音波霧化装置では、それぞれの超音波霧化装置のタンクの液量をそれぞれの超音波霧化装置毎に監視しなくてはならず、その監視は非常に煩雑であるという問題があった。【解決手段】  １は筐体、２は霧化容器、４は霧化される液体、５は超音波振動子、６は発振器で、これらの構成は上記従来例と同じ構成であるので、説明は省略するが、本実施例では、霧化容器２の側部にそれぞれ液位検出センサ８が装着され、複数の霧化容器２に配管９がそれぞれ接続され、霧化容器２の近傍の配管９に液位検出センサ８によって開閉されるバルブ１０が装着され、又、配管９は１つの液体供給装置１１に接続されている。【選択図】図１
2009034586.tif 000002
【特許請求の範囲】
【請求項１】
複数の霧化容器と、該霧化容器の底部にそれぞれ装着した超音波振動子と、該超音波振動子にそれぞれ接続した発振器とからなる複数の霧化装置と、該霧化装置の側部に装着され、前記霧化装置の内部の霧化液の液位を検出する液位検出センサと、前記霧化装置のそれぞれの霧化容器に接続された配管と、該配管に装着され、前記液位検出センサからの信号で開閉するバルブと、前記配管に連結された霧化液供給装置とからなり、前記霧化装置の霧化容器に前記霧化液供給装置から霧化液を供給し、前記液位検出センサによって前記バルブを開閉し、全ての霧化容器に前記霧化液が一定の液位になるように構成することにより、多数の霧化装置で霧化粒子を発生することを特徴とする超音波霧化装置。
【発明の詳細な説明】
【技術分野】
【０００１】
本発明は、複数の霧化容器に１つの液体供給装置で霧化液体を供給するようにした超音波霧化装置に関するものである。
【背景技術】
【０００２】
従来、この種の超音波霧化装置としては、図２に示すように、筐体１の内部に霧化容器２が構成され、霧化容器２にタンク３から霧化される液体４が所定の液体面まで注入され、又、霧化容器２の下部に超音波振動子５が装着され、超音波振動子５に発振器６から発振出力が供給され、さらに、筐体１の側壁にファン７が装着されたものが提案されている。
【０００３】
このように構成された従来の超音波霧化装置では、超音波振動子５に発振器６から発振出力が供給されると、超音波振動子５から超音波が発生し、霧化容器２に注入された液体４の液柱４ａが発生し、液柱４ａから霧化粒子４ｂが千切れて霧化され、又、ファン７を駆動することにより、発生した霧化粒子４ｂは上方に噴出されるように構成されている。
【０００４】
しかしながら、このように構成した従来の超音波霧化装置では、広い場所に多数の超音波霧化装置を設置する場合、それぞれの超音波霧化装置のタンクの液量をそれぞれの超音波霧化装置毎に監視しなくてはならず、その監視は非常に煩雑であるという問題があった。
【特許文献１】特願平７−１８４７５９号
【発明の開示】
【発明が解決しようとする課題】
【０００５】
解決しようとする問題点は、従来の超音波霧化装置では、それぞれの超音波霧化装置のタンクの液量をそれぞれの超音波霧化装置毎に監視しなくてはならず、その監視は非常に煩雑であるという問題があった。
【課題を解決するための手段】
【０００６】
本発明では、複数の霧化容器と、該霧化容器の底部にそれぞれ装着した超音波振動子と、該超音波振動子にそれぞれ接続した発振器とからなる複数の霧化装置と、該霧化装置の側部に装着され、前記霧化装置の内部の霧化液の液位を検出する液位検出センサと、前記霧化装置のそれぞれの霧化容器に接続された配管と、該配管に装着され、前記液位検出センサからの信号で開閉するバルブと、前記配管に連結された霧化液供給装置とからなり、前記霧化装置の霧化容器に前記霧化液供給装置から霧化液を供給し、前記液位検出センサによって前記バルブを開閉し、全ての霧化容器に前記霧化液が一定の液位になるように構成することにより、多数の霧化装置で霧化粒子を発生するものである。
【発明の効果】
【０００７】
本発明の超音波霧化装置では、複数の霧化容器に１つの液体供給装置から霧化液体を供給することにより、霧化液体を監視する必要がなく、広範囲の場所を一度に霧化散布することができ、又、広い範囲を霧化散布する場合は大型の大量霧化器が必要であったが、小型の霧化器で霧化散布ができ、霧化装置の使用場所の配置によって霧化量の異なる霧化装置を使用することができ、同じ大きさの霧化装置ばかりでなく、大小の霧化装置を同系統で使用することができるという利点がある。
【発明を実施するための最良の形態】
【０００８】
本発明では、複数の霧化容器にそれぞれ超音波振動子と発振器と液位検出センサを装着し、これらの霧化容器に接続された配管に霧化液供給装置から霧化液を供給することにより、多数の霧化装置で霧化粒子を発生するものである。
【実施例】
【０００９】
図１は本発明の実施例の超音波霧化装置の構成図で、１は筐体、２は霧化容器、４は霧化される液体、５は超音波振動子、６は発振器で、これらの構成は上記従来例と同じ構成であるので、説明は省略するが、本実施例では、霧化容器２の側部にそれぞれ液位検出センサ８が装着され、複数の霧化容器２に配管９がそれぞれ接続され、霧化容器２の近傍の配管９に液位検出センサ８によって開閉されるバルブ１０が装着され、又、配管９は１つの液体供給装置１１に接続されている。
【００１０】
このように構成された本実施例の超音波霧化装置では、複数の霧化容器２に霧化液を供給する１つの液体供給装置１１から配管を介して霧化する液体４が供給され、霧化容器２の側部に装着された液位検出センサ８で霧化容器２内の霧化される液体４の液位が検出されて一定の液位になるようにバルブ１０が開閉され、それぞれの霧化容器２の超音波振動子５に発振器６から発振出力を印可することによって、それぞれの容器２の霧化液体４が霧化される液柱４ａが発生し、液柱４ａから霧化粒子４ｂが発生するので広い場所に多数の霧化装置を設置しても、液体の供給を監視する必要はなく、広範囲の場所を一度に霧化散布することができ、又、広い範囲を霧化散布する場合は大型の大量霧化器が必要であったが、小型の霧化器で霧化散布ができ、霧化装置の使用場所の配置によって霧化量の異なる霧化装置を使用することができ、同じ大きさの霧化装置ばかりでなく、大小の霧化装置を同系統で使用することができるという利点がある。
。
【００１１】
なお、液体供給装置１１から霧化する液体の供給量とそれぞれの霧化装置で発生する霧化量がほぼ一致していれば、それぞれの霧化容器２に常に一定量の霧化液が溜まり、空炊きして超音波振動子５が破壊されることがなく、又、霧化容器２に一定量の霧化液体が溜まると、溢れるようにすれば、供給される霧化液体が過剰になることがない。
【産業上の利用可能性】
【００１２】
なお、上記実施例において、筐体１にファン７を設けたが、上記実施例においても、それぞれの筐体１の上部側面にファン７を設けてもよい。
【図面の簡単な説明】
【００１３】
【図１】本発明の実施例の超音波霧化装置の側面一部断面図である。
【図２】従来の超音波霧化装置の側面断面図である。
【符号の説明】
【００１４】
１                筐体
２                霧化容器
４                霧化液
５                超音波振動子
６                発振器
８                液位検出センサ
９                配管
１０              バルブ
１１              液体供給装置
【図１】
2009034586.tif 000003
【図２】
2009034586.tif 000004